(57)【要約】【課題】器械装置の内部状態を適正な要求者にのみ不正なくカスタマイズすることを可能とする器械装置の制御システム・方法を提供する。【解決手段】情報処理装置２に対して制御情報を要求する制御情報要求手段３０２と、情報処理装置２において器械装置１に固有の内部識別情報Ｂを予め登録した識別情報データベース２１と、情報処理装置２において識別情報データベース２１に前記機器識別情報が登録してあるか否かを照会する照会手段２４と、登録ある場合に識別情報データベース２１から内部識別情報を取り出し情報処理装置２から制御情報を伴う応答をなす応答手段２５と、制御情報Ｃに反映されている内部識別情報が器械装置１に書き込まれている内部識別情報と合致するか否かを照合する照合手段３０４と、照合が真である場合に内部状態情報の制御を行なう状態制御手段３０５とを具備してなることを特徴とする。【選択図】図８
2005011297.tif 000002
【特許請求の範囲】
【請求項１】
外部の情報処理装置から器械装置の内部状態の制御を行なうものであって、
情報処理装置に対して通信又は情報メディアを介し器械装置の機器識別情報を伴って制御情報を要求する制御情報要求手段と、
情報処理装置において器械装置に固有の内部識別情報を前記機器識別情報と関連づけて予め登録した識別情報データベースと、
情報処理装置において前記識別情報データベースに前記機器識別情報が登録してあるか否かを照会する照会手段と、登録ある場合に少なくとも当該機器識別情報に対応した内部識別情報を前記識別情報データベースから取り出し通信又は情報メディアを介して情報処理装置から器械装置に対して少なくとも当該内部識別情報を反映した制御情報を伴う応答をなす応答手段と、
制御情報に反映されている内部識別情報が、器械装置または器械装置に接続された端末装置または該端末装置で読み出し可能な記憶メディアにあらかじめ書き込まれている内部識別情報と合致するか否かを照合する照合手段と、
照合が真である場合に制御情報に基づいて内部状態情報に対応する内部状態の制御を行なう状態制御手段とを具備してなることを特徴とする器械装置の制御システム。
【請求項２】
外部の情報処理装置から器械装置の内部状態の制御を行なうものであって、
情報処理装置に対して通信又は情報メディアを介し器械装置の機器識別情報及び器械装置に固有の内部識別情報を伴って制御情報を要求する制御情報要求手段と、
情報処理装置において内部識別情報を前記機器識別情報と関連づけて予め登録した識別情報データベースと、
情報処理装置において前記識別情報データベースに前記機器識別情報が登録してあるか否かを照会する照会手段と、
登録ある場合に当該機器識別情報に対応して登録されている内部識別情報と、器械装置または器械装置に接続された端末装置または該端末装置で読み出し可能な記憶メディアにあらかじめ書き込まれている内部識別情報とが合致するか否かを照合する照合手段と、
照合が真である場合に通信又は情報メディアを介して情報処理装置から器械装置に対して制御情報を伴う応答をなす応答手段と、
応答があった場合に制御情報に基づいて内部状態情報に対応する内部状態の制御を行なう状態制御手段とを具備してなることを特徴とする器械装置の制御システム。
【請求項３】
情報処理装置が、１又は複数の内部状態情報を記憶した内部状態情報記憶手段を備え、応答手段が制御情報とともに内部状態情報を伴った応答をなして、照合が真である場合に器械装置において状態制御手段が前記制御情報に基づいて内部状態情報に対応する内部状態の制御を行なう請求項１又は２記載の器械装置の制御システム。
【請求項４】
器械装置が、１又は複数の内部状態情報を記憶した内部状態情報記憶手段を備え、状態制御手段は通常は前記内部状態情報の制御が禁止されているが、照合が真である場合に器械装置において状態制御手段が前記制御情報に基づいて内部状態情報に対応する内部状態の制御を行う請求項１又は２記載の器械装置の制御システム。
【請求項５】
内部状態情報が、１又は複数の動作モード情報を具備する場合において、制御情報が動作モード情報を選択切替するための情報または動作モード情報を追加するための情報及び／または、動作モード情報に付随する１又は複数の動作機能、動作データ等のモード関連情報を具備する場合において、制御情報がモード関連情報を選択切替するための情報または当該モード関連情報を追加するための情報である請求項１〜４記載の器械装置の制御システム。
【請求項６】
動作モード情報に、少なくとも１つ以上の歯科用用途に対応した動作モード情報を含む請求項５記載の器械装置の制御システム。
【請求項７】
動作モード情報に、歯科用用途に特化しない器械装置の動作モード情報を含む請求項６記載の器械装置の制御システム。
【請求項８】
動作機能又は動作データが、器械装置の動作状態及び／または使用状況をモニタリングするためのものである請求項５記載の器械装置の制御システム。
【請求項９】
器械装置からの制御情報要求を許可するためのＩＤ入力受付手段、パスワード入力受付手段の少なくとも何れかを設けている請求項１〜８記載の器械装置の制御システム。
【請求項１０】
内部状態情報が、ファームウェアとして与えられる請求項１〜９記載の器械装置の制御システム。
【請求項１１】
機械装置に情報処理装置の端末装置を具備するかまたは接続され、制御情報要求手段と状態制御手段と照合手段が端末装置上で作動するソフトウエアであることを特徴とする請求項１〜１０記載の器械装置の制御システム。
【請求項１２】
外部の情報処理装置から器械装置の内部状態の制御を行なうものであって、
器械装置若しくはこれに接続された端末装置から情報処理装置に対し通信又は情報メディアを介し器械装置の機器識別情報を伴って制御情報を要求する制御情報要求ステップと、
情報処理装置において器械装置に固有の内部識別情報を前記機器識別情報と関連づけて予め登録した識別情報データベースに前記機器識別情報が登録してあるか否かを照会する照会ステップと、
登録ある場合に少なくとも当該機器識別情報に対応した内部識別情報を前記識別情報データベースから取り出し通信又は情報メディアを介して情報処理装置から器械装置に対して少なくとも当該内部識別情報を反映した制御情報を伴う応答をなす応答ステップと、
制御情報に反映されている内部識別情報が器械装置にあらかじめ書き込まれている内部識別情報と合致するか否かを照合する照合ステップと、
照合が真である場合に制御情報に基づいて内部状態情報に対応する内部状態の制御を行なう状態制御ステップとを具備してなることを特徴とする器械装置の制御方法。
【請求項１３】
外部の情報処理装置から器械装置の内部状態の制御を行なうものであって、
器械装置若しくはこれに接続された端末装置から情報処理装置に対して通信又は情報メディアを介し器械装置の機器識別情報及び器械装置に固有の内部識別情報を伴って制御情報を要求する制御情報要求ステップと、
情報処理装置において前記機器識別情報が登録してあるか否かを照会する照会ステップと、
登録ある場合に当該機器識別情報に対応して登録されている内部識別情報と器械装置にあらかじめ書き込まれている内部識別情報とが合致するか否かを照合する照合ステップと、
照合が真である場合に通信又は情報メディアを介して情報処理装置から器械装置に対して制御情報を伴う応答をなす応答ステップと、
応答があった場合に制御情報に基づいて内部状態情報に対応する内部状態の制御を行なう状態制御ステップとを具備してなることを特徴とする器械装置の制御方法。
【請求項１４】
情報処理装置が、１又は複数の内部状態情報を記憶しており、応答ステップ時に制御情報とともに内部状態情報を伴った応答をなして、前記照合ステップにおける照合が真である場合に前記制御情報及び内部状態情報に基づいて状態制御ステップを実施する請求項１２又は１３記載の器械装置の制御方法。
【請求項１５】
器械装置が、１又は複数の内部状態情報を記憶しており、状態制御ステップの実行は通常は禁止されているが、器械装置において制御情報を受け取りそれに基づく照合が真である場合に前記制御情報に基づく状態制御ステップが実施可能となる請求項１２又は１３記載の器械装置の制御方法。
【発明の詳細な説明】
【０００１】
【発明の属する技術分野】
本発明は、器械装置の内部状態を特定目的・用途のためにカスタマイズする上で有用となる器械装置の制御システム等に関するものである。
【０００２】
【従来の技術】
一般に、ある特定目的のために市場に供される例えば民生用の器械装置等は、所定の動作モード・動作機能等を実現するファームウェア等が予め書き込んであり、ユーザーが許容された範囲を超えて当該器械装置の動作モードや動作機能をカスタマイズできないようになっているのが通例である。
【０００３】
しかし、例えばデジタルカメラを例にとれば、この種のカメラは撮影画像が看者に鮮明に視認されるように、画像に本来の色とは異なる色補正を加えたり、ターゲットの自動認識に基づくオートフォーカス機能によって焦点やフラッシュ等を自動制御する機能が備わっている。このため、このデジタルカメラを、例えば正確な色再現性が要求される歯科口腔目的等で使用すると、逆に歯牙や歯肉の色を正確に再現することが妨げられ、診断の狂いや、補綴物の作成の狂いとなって現れる。一方、歯科口腔撮影用のカメラは、特許文献１に示すように、歯科口腔撮影に適した専用の設定がなされているが、このような歯科口腔撮影用のデジタルカメラを別途作成するとなると、少量生産のため高価なものになり、歯科医院や歯科技工所等のユーザーが簡単に導入できる代物ではなくなる。
【０００４】
そこで、市販のデジタルカメラの基本的動作モード情報、動作機能、動作データを簡単な手法でカスタマイズできる制御を外部から加えることができれば、上記の問題を有効に解決できる糸口になる。この種の問題は、他の器械装置においても同様である。
【０００５】
ここに、外部から別種の動作モード情報、動作機能、動作データ等を要求に応じて送り込むか、或いは予め備わっている動作モード情報、動作機能、動作データを外部からの制御で有効にするというカスタマイズサービスに係るビジネスモデルの成立性が認められる。
【０００６】
【特許文献１】
特開平１１−２７５４０５号公報
【０００７】
【発明が解決しようとする課題】
ところで、上記のシステムを通常の手法によって実現すると、中央の情報処理装置で別種の動作モード情報、動作機能、動作データ等を用意しておくか、或いは、器械装置の中に予め別種の動作モード情報、動作機能、動作データを埋め込んでおき、ユーザーが必要に応じて情報処理装置から動作モード情報等を伴う制御情報の提供を受けるか、動作モード情報等の選択切替のための制御情報の提供を受けるか、何れかの構成が常套手段として考えられる。
しかし、このようなシステムを構築しても、単にＩＤやパスワードの提示のみで制御情報等を提供したのでは、ＩＤ等の不正取得による冒用行為によってシステムの適切な運用が妨げられる危険性が高い。
本発明は、このような課題に着目してなされたものであって、器械装置の動作モード情報、動作機能、動作データなどの内部状態を適正な要求者にのみ不正なくカスタマイズすることを可能とする器械装置の制御システム・方法を提供しようとするものである。
【０００８】
【課題を解決するための手段】
本発明は、かかる目的を達成するために、次のような手段を講じたものである。
＜請求項１、２＞
すなわち、本発明に係る器械装置の制御システムは、外部の情報処理装置から器械装置の内部状態の制御を行なうものであって、情報処理装置に対して通信又は情報メディアを介し機器識別情報とを伴って制御情報を要求する制御情報要求手段と、情報処理装置において器械装置に固有の内部識別情報を前記機器識別情報と関連づけて予め登録した識別情報データベースと、情報処理装置において前記識別情報データベースに前記機器識別情報が登録してあるか否かを照会する照会手段と、登録ある場合に少なくとも当該機器識別情報に対応した内部識別情報を前記識別情報データベースから取り出し通信又は情報メディアを介して情報処理装置から少なくとも当該内部識別情報を反映した制御情報を伴う応答をなす応答手段と、制御情報に反映されている内部識別情報が、器械装置または器械装置に接続された端末装置または該端末装置で読み出し可能な記憶メディアに書き込まれている内部識別情報と合致するか否かを照合する照合手段と、照合が真である場合に制御情報に基づいて内部状態情報に対応する内部状態の制御を行なう状態制御手段とを具備してなることを特徴とする。
また、本発明の他の構成に係る器械装置の制御システムは、外部の情報処理装置から器械装置の内部状態の制御を行なうものであって、情報処理装置に対して通信又は情報メディアを介し器械装置の機器識別情報及び器械装置に固有の内部識別情報を伴って制御情報を要求する制御情報要求手段と、情報処理装置において内部識別情報を前記機器識別情報と関連づけて予め登録した識別情報データベースと、情報処理装置において前記識別情報データベースに前記機器識別情報が登録してあるか否かを照会する照会手段と、登録ある場合に当該機器識別情報に対応して登録されている内部識別情報と、器械装置または器械装置に接続された端末装置または該端末装置で読み出し可能な記憶メディアにあらかじめ書き込まれている内部識別情報とが合致するか否かを照合する照合手段と、照合が真である場合に通信又は情報メディアを介して情報処理装置から器械装置に対して制御情報を伴う応答をなす応答手段と、応答があった場合に制御情報に基づいて内部状態情報に対応する内部状態の制御を行なう状態制御手段とを具備してなることを特徴とする。
【０００９】
すなわち、器械装置には、製造番号などの機器識別情報が存在するのが通例である。この様な機器識別情報に１対１に対応して、器械装置に電子的に読み取り可能な方法で内部識別情報を設定または記憶させることは容易に可能である。このため、本発明のようなシステムを構築すると、器械装置に対して前述の様なカスタマイズサービスが可動である条件として、次の３条件を課すことが可能となる。
▲１▼  正規のユーザー（器械装置を確かに購入したと器械装置供給業者が認定することを条件に器械装置供給業者側が管理運営する情報処理装置のデータベースにその器械装置の機器識別情報と内部識別情報を関連付けて登録したユーザー）であること。
▲２▼  カスタマイズの申込を行い、代価の入金が行われたユーザーであること。（この情報も機器識別情報としてデータベースに登録される。）
▲３▼  さらに、正規のユーザーにＩＤとパスワードを発行することで、例えば通信もしくはメディアを介して器械装置のカスタマイズを行う場合にＩＤとパスワードの提示要求に対して、双方を正確に提示入力したユーザーであること。
したがって、器械装置を使用するユーザーが、当該器械装置を管理する情報処理装置に対して偽った機器識別情報（例えば偽った製造番号）を送っても、情報処理装置側でその機器識別情報が登録してなければ照会段階で拒絶されるし、たとえ機器識別情報が登録してあって対応する内部識別情報が存在しても、それが冒用であれば内部識別情報と実際の器械装置の内部識別とが照合段階で不一致（偽）となり、制御情報に基づく内部状態情報の選択切替制御や追加制御等が実行されなることはない。これに通常のソフトウェアやネットサービス等で行われているＩＤとパスワードによる冒用防止技術を組み合わせることにより、不正冒用行為を効果的に回避することが可能となるだけでなく、その器械装置に関係する個々のユーザーの機密情報に応じた例えば歯科用にカスタマイズしたデジタルカメラであれば患者の口腔写真の保管管理サービス等も可能となるものである。
＜請求項３，４＞
具体的な実施の態様としては、情報処理装置が内部状態情報を記憶した内部状態情報記憶手段を備えている場合と、器械装置が内部状態情報を記憶した内部状態情報記憶手段を備えている場合とがある。前者の場合は、情報処理装置が備えている応答手段が制御情報とともに内部状態情報を伴った応答をなして、器械装置において照合が真である場合に状態制御手段が前記制御情報に基づいて内部状態情報の制御を行なうように構成すればよく、後者の場合は、器械装置が、１又は複数の内部状態情報を記憶した内部状態情報記憶手段を備え、状態制御手段は通常は前記内部状態情報に基づく制御が禁止されているが、器械装置において制御情報を受け取りそれに基づく照合が真である場合に状態制御手段が前記制御情報に基づく内部状態情報の制御を実行可能とするように構成すればよい。
＜請求項５＞
内部状態情報が１又は複数の動作モード情報を具備する場合には、制御情報を、動作モード情報を選択切替するための情報または動作モード情報を追加するための情報とすればよい。
また、内部状態情報が動作モード情報に付随する１又は複数の動作機能、動作データ等のモード関連情報を具備する場合には、制御情報を、モード関連情報を選択切替するための情報または当該モード関連情報を追加するための情報とすればよい。
＜請求項６〜８＞
本発明は、特に動作モード情報に、通常の器械装置とは異質な歯科用用途に対応した動作モード情報を少なくとも１つ以上含むものに適用して有用である。
勿論、同様の趣旨で動作モード情報に、歯科用用途に特化しない器械装置の動作モード情報を含むものを適用対象としてもよい。
また、本発明は、特にモード関連情報に、通常の器械装置とは異質な歯科用用途に対応した動作機能、動作データ又は患者の診療データの少なくとも何れかを含むものに適用して有用である。
勿論、この場合も同様の趣旨で、モード関連情報に、歯科用用途に特化しない器械装置の動作機能又は動作データを含むものを適用対象としてもよい。
この場合、外部から器械装置を管理するためには、動作機能又は動作データとして、器械装置の動作状態をモニタリングするためのもの、或いは、器械装置の使用状況をモニタリングするためのものを用いることが有効である。
＜請求項９〜１１＞
不正冒用行為を効果的に防止するためには、器械装置からの制御情報要求を許可するためのＩＤ入力受付手段、パスワード入力受付手段の少なくとも何れかを併用することが好ましく、内部状態情報は、ファームウェア又はソフトウェアとして与えることが有効である。
＜請求項１２〜１５＞
また、本発明は次のような方法によって実施されるものである。
すなわち、本発明に係る器械装置の制御方法は、外部の情報処理装置から器械装置の内部状態の制御を行なうに際して、器械装置若しくはこれに接続された端末装置から情報処理装置に対し通信又は情報メディアを介し機器識別情報を伴って制御情報を要求する制御情報要求ステップと、情報処理装置において器械装置に固有の内部識別情報を前記機器識別情報と関連づけて予め登録した識別情報データベースに前記機器識別情報が登録してあるか否かを照会する照会ステップと、登録ある場合に少なくとも当該機器識別情報に対応した内部識別情報を前記識別情報データベースから取り出し通信又は情報メディアを介して情報処理装置から器械装置に対して少なくとも当該内部識別情報を反映した制御情報を伴う応答をなす応答ステップと、制御情報に反映されている内部識別情報が器械装置または器械装置に接続された端末装置または該端末装置で読み出し可能な記憶メディアにあらかじめ書き込まれている内部識別情報と合致するか否かを照合する照合ステップと、照合が真である場合に制御情報に基づいて内部状態情報に対応する内部状態の制御を行なう状態制御ステップとを具備してなることを特徴とする。また、本発明の他の構成に係る器械装置の制御方法は、外部の情報処理装置から器械装置の内部状態の制御を行なうに際して、器械装置若しくはこれに接続された端末装置から情報処理装置に対して通信又は情報メディアを介し器械装置の機器識別情報及び器械装置に固有の内部識別情報を伴って制御情報を要求する制御情報要求ステップと、情報処理装置において前記機器識別情報が登録してあるか否かを照会する照会ステップと、登録ある場合に当該機器識別情報に対応して登録されている内部識別情報と器械装置または器械装置に接続された端末装置または該端末装置で読み出し可能な記憶メディアにあらかじめ書き込まれている内部識別情報とが合致するか否かを照合する照合ステップと、照合が真である場合に通信又は情報メディアを介して情報処理装置から器械装置に対して制御情報を伴う応答をなす応答ステップと、応答があった場合に制御情報に基づいて内部状態情報に対応する内部状態の制御を行なう状態制御ステップとを具備してなることを特徴とする。
この場合、情報処理装置又は器械装置の何れが１又は複数の内部状態情報を記憶していてもよい。前者の場合は、応答ステップ時に制御情報とともに内部状態情報を伴った応答をなして、照合ステップにおいて照合が真である場合に前記制御情報及び内部状態情報に基づいて状態制御ステップを実施すればよく、後者の場合は、状態制御ステップの実行は通常は禁止されているが、器械装置において制御情報を受け取りそれに基づく照合が真である場合に前記制御情報に基づく状態制御ステップが実施可能となるようにすればよい。
【００１０】
【発明の実施の形態】
以下、本発明の一実施形態を、図面を参照して説明する。
＜実施形態のシステム説明＞
この実施形態の制御システムは、器械装置であるデジタルカメラ１をカスタイマイズサービスの対象とするものであり、図１に示すように外部の情報処理装置たるサーバ装置２から端末装置３を介してデジタルカメラ１の動作モード、動作機能等の内部状態の切替・追加制御を行なうことにより、汎用のデジタルカメラ１に歯科に特化した機能を付与するものである。端末装置３とデジタルカメラ１との通信は通信ケーブルを用いて行われるか、又は、デジタルカメラが有するメモリカード等のメディアＭを用いて行われる。端末装置３とサーバ装置２との通信はインターネットなどの通信手段Ｎにより行われるか又はＣＤ−ＲＯＭ等のメディアＭを介して行われる。
まず、歯科に特化した場合にデジタルカメラ１に要求される機能も含めて、デジタルカメラ１の機能について説明する。
まずデジタルカメラ１は、図２に示すように、撮影に必要な光学系や照明などの撮影用ハードウェアに加え、ＣＰＵ１０ａ、フラッシュメモリカード等による撮影画像の記録メディア１０ｆ、ＥＥＰＲＯＭ（またはフラッシュメモリ）１０ｂ、ＲＡＭ１０ｃ、ハードウェアインターフェース１０ｄおよび入出力インターフェース１０ｅ等を備えた通常のマイクロコンピュータユニット１０を搭載したもの（市販のもの）を使用する。
デジタルカメラ１の記録メディア１０ｆやＥＥＰＲＯＭ１０ｂには、内部状態情報Ｚの一つである動作モード情報として、図３に示すように、歯科以外の撮影時に動作する非歯科撮影用プログラム部分Ｐ１と、どの様な撮影時でも共通に動作する基本撮影プログラム部分Ｐ２と、歯科撮影用プログラム部分Ｐ３とがファームウェアとして書き込まれる。すなわち、図３（Ａ）において、非歯科撮影用プログラム部分Ｐ１及び基本撮影プログラム部分Ｐ２は初期段階において作動可能な状態にあり、歯科撮影用プログラム部分Ｐ３はインストールされていないか作動禁止状態にある。前記基本撮影プログラム部分Ｐ２の一部には、外部から読み込まれた制御情報Ｃ（認証コード）によって、図３（Ｂ）に示すように歯科撮影用プログラムＰ３を新たにインストールするか或いは既にインストールされている当該プログラムＰ３の作動禁止状態を解除するかし、同時に非歯科撮影用プログラム部分Ｐ１を作動禁止状態に切り替えるスイッチング機能を含む。すなわち、デジタルカメラ１は、非歯科撮影用プログラム部分Ｐ１と基本撮影プログラム部分Ｐ２が動作している非歯科用動作モードＭ１と、歯科口腔撮影用プログラム部分Ｐ３と基本撮影プログラム部分Ｐ２が動作している歯科用動作モードＭ２のいずれかで動作する。
非歯科用動作モードＭ１は、例えば通常のフリー撮影モードのように、歯科に特化せず汎用的な撮影に適用できるモードであり、図４に示すように、オートフォーカス機能Ｍ１１やフラッシュ制御機能Ｍ１２、画像編集機能Ｍ１３などの動作機能Ｍ１０が付随する。オートフォーカス機能Ｍ１１は一般によく知られた自動焦点機能であり、フラッシュ制御機能Ｍ１２はフラッシュのタイミングや露出時間等を制御するものであり、画像編集機能Ｍ１３は画像の分類・整理等に必要な、サムネイルその他で撮影画像をインデックス表示したり削除したりする一般的なものである。
非歯科撮影用プログラム部分Ｐ１にはこれらの動作機能Ｍ１０に対応した内部状態情報Ｚが含まれている。
これに対して、歯科用動作モードＭ２は、歯科に特化した撮影を行なう動作モードであり、例えば図５に示すように、医院用動作モードＭ２１（規格撮影：全体）、技工所用動作モードＭ２２（規格撮影：拡大）大学用動作モードＭ２３（フリー撮影）、小児歯科用動作モードＭ２４、矯正用動作モードＭ２５などからなる。医院用動作モードＭ２１（規格撮影）は、歯牙や歯列や顔貌を撮影対象とし、所定の距離・方向・配置角度で撮影するモードである。技工所用動作モードＭ２２は、義歯作成の対象となる歯を撮影対象とし、対象となる歯の位置に応じた所定の距離・方向・配置角度で撮影するモードである。大学用動作モードＭ２３（フリー撮影）は、主に研究目的のためのものであり、撮影対象である歯牙や歯列や顔貌を、距離・方向・配置角度を特に定めず自由に撮影するモードである。小児歯科用動作モードＭ２４は、永久歯ではなく乳歯の歯牙や歯列に基づいて距離・方向・配置角度が設定されているモードである。矯正用動作モードＭ２５は、矯正という特定目的に撮影方法や各種設定値等の撮影条件を特化したモードである。歯科撮影用プログラム部分Ｐ３は、これらの動作モードを実現する内部状態情報Ｚを、通常は使用不可の状態で含んでおり、個別に各機能を特定した制御情報Ｃが外部から与えられることによって始めて、対応する内部状態情報Ｚを使用可の状態にし、ユーザーが撮影時に当該機能を利用できるようにしている。
このようにしてなる歯科用動作モードＭ２には、撮影距離対応フラッシュ光量調整機能Ｍ２０１、マクロ撮影機能Ｍ２０２、診療情報記録機能Ｍ２０３、撮影支援機能Ｍ２０４、患者アルバム機能Ｍ２０５、色補正機能Ｍ２０６、改変不能機能Ｍ２０７などの動作機能が付随する。撮影距離対応フラッシュ光量調整機能Ｍ２０１とは、被写体との間の距離を検出しこれに応じてフラッシュ光量を自動的に算出する機能をいい、例えば距離の二乗に比例して光量を増大させるなどの計算を行なう機能である。マクロ撮影機能Ｍ２０２とは、特定の歯牙等を接写する目的に特化した機能をいい、例えば最適な焦点・露出等となるようにフラッシュや焦点を制御する機能である。診療情報記録機能Ｍ２０３とは、歯科医師が下した診療情報や撮影部位に関する情報を患者毎に画像と関連づけて診療データとして記録する機能をいい、例えば補綴物の作成データやホワイトニングのデータ、歯の測色データ等が挙げられる。これらの診療データは、患者の画像データファイルに内蔵しておくと一体的に取り扱えて分類・整理に効果的である。撮影支援機能Ｍ２０４とは、規格撮影・再現撮影等の予め手順が定まっている撮影に対してその手順の説明を表示又は音声を通じて行なう機能をいい、例えば次に撮影すべき患者名、歯牙または歯列または顔貌、距離・方向・配置角度などを順次報知する機能である。患者アルバム機能Ｍ２０５とは、撮影画像データをアルバム的に編集・閲覧等できるようにする機能をいい、例えば撮影画像データを患者毎に階層的に追加、分類、整理、管理、表示する機能である。色補正機能Ｍ２０６とは、歯牙などを撮影した画像の色を本来の色に再現するための補正を行う機能をいい、例えば測色計で取得した色が再現されるようにモニターやプリンターの出力画像を調整することで撮影画像を補正する機能である。改変不能機能Ｍ２０７とは、撮影した画像に対する加工等を禁止する機能をいう。歯科撮影用プログラム部分Ｐ３は、これらの動作機能を実現するための動作情報を内部状態情報Ｚの一部に含んでいる。
一方、この歯科撮影モードＭ２においては、動作関連情報として各機能を実現するために必要な動作データＤ２０を必要に応じて使用する。ここで採り上げる動作データＤ２０には、フラッシュ光量データＤ２１、シェードガイドデータＤ２２、色見本データＤ２３などがある。フラッシュ光量データＤ２１は、外部フラッシュシステムの距離対光量データや、内部フラッシュシステムの距離対光量データ等である。シェードガイドデータＤ２２は、人間天然歯の色分布の中心付近を基準として分布の幅方向または彩度方向および長さ方向または色の鮮やかさ方向および奥行きまたは色合い方向に色を３次元的に分割して表現したデータである。色見本データＤ２３は、口腔撮影時に同時に撮影されコンピュータディスプレイに表示またはプリンタで印刷した際に当該色見本を本来の色に再現することによって口腔写真の色補正を可能とする基準色を与えるデータである。歯科用プログラム部分は、これらの動作データをも内部状態情報Ｚとして含んでいる。これらの動作データは、数式等の形で与えることもできる。
一方、必ずしも歯科に特化した機能ではないが、歯科分野で特に有用な機能として、動作データ抽出機能Ｍ１４は、デジタルカメラ１の動作状況をモニタリングする動作状況データＤ１４を抽出する機能である。具体的には、デジタルカメラ１の各機能の動作が正常か否かのデータ、デジタルカメラ１の各機能特性データや、デジタルカメラ１の動作特性データ、デジタルカメラ１に付属する電池等の消耗品の残量等に関するデータである。また、使用データ抽出機能Ｍ１５は、デジタルカメラ１の使用状況をモニタリングする使用データＤ１５を抽出する機能である。具体的には、デジタルカメラ１が使用された事実に関するデータ、使用回数データ、撮影枚数データ等に関するデータである。なお、本システムとして、複数の患者の画像データまたは補綴物の作成データまたはホワイトニングのデータまたは歯の測色データまたはこれらのデータを分析・加工したデータといった診療データＤ２４をデジタルカメラ１から吸い上げてサーバ装置２に配置し、使用者または患者の要求に応じて端末装置３にデータを供給するようにしておくことも有効である。また、前記診療情報記録機能Ｍ２０３には、閲覧者または改変者を含むデータ閲覧・改変履歴を患者データ毎に記録するとともに改変前のデータを残す機能を持たせておいてもよい。
また、この実施形態は、動作機能Ｍ２０の一つに課金データ生成機能Ｍ２０８を備えている。この場合の課金データ生成機能Ｍ２０８は、課金の基礎となるデータを生成するもので、歯科用動作モードＭ２における各動作モードでの使用回数や撮影枚数に応じたポイントや金額を課金データＤ２５として生成し、これをデジタルカメラ１や端末装置３で表示したり、付属のプリンタで印刷したり、サーバ装置２にオンライン出力させるものである。この課金データＤ２５は、診療料金に加算するために上記診療データＤ２４に関連づけて保存することも可能である。
しかして、本実施形態は、上記のような歯科に特化した場合にデジタルカメラ１に要求される動作モード情報、動作機能、動作データ等の内部状態情報Ｚをサーバ装置２から端末装置３を介して提供し、或いは、既にデジタルカメラ１に内蔵されている内部状態情報Ｚをサーバ装置２から有効に機能させるべく、端末装置３及びサーバ装置２を次のように構成している。
まず、端末装置３を、図６に示すように、ＣＰＵ３０ａ、記録メディア３０ｆ、ＣＤメディア３０ｆ２、ＲＯＭ３０ｂ、ＲＡＭ３０ｃ、入出力インターフェース３０ｄ、通信インターフェース３０ｅ等を備えた通常のコンピュータユニット３０により構成する。そして、ＣＤメディア３０ｆ２等にカメラ制御用プログラム３００ｂを内蔵し、ＣＰＵ３０ａにこのカメラ制御用プログラム３００ｂを読み込ませ、逐次実行させることによって、デジタルカメラ１との間の情報の授受を通じて、図８に示す制御情報要求手段３０２、制御情報取得手段３０３、照合手段３０４、状態制御手段３０５を構築する。
制御情報要求手段３０２は、デジタルカメラ１に接続した端末装置３からインターネット等の通信手段Ｎ又は情報メディアＭを介して機器識別情報Ａを送信することにより、サーバ装置２に制御情報Ｃを要求する。機器識別情報Ａは、ユーザーを特定するためのコードであり、ユーザーが要求する内部状態情報Ｚを示す内部状態情報識別コードを付帯している。ユーザーを特定するためのコードとしては、例えば８桁のシリアル番号（製造番号）、ユーザーＩＤ、パスワード、クレジットカード番号などの、ユーザーを特定する数字や文字列或いはこれらの組み合わせをあげることができる（図１０参照）。このように、器械装置やユーザーを特定できる番号を２つ以上併用すれば、セキュリティー保護はより確実なものになる。ユーザーが要求する内部状態情報Ｚとは、ユーザーが必要とする動作モード、動作機能、動作データなどである。図１０はこの制御情報要求手段３０２の具体的な態様を示しており、端末装置３の画面上にシリアル番号等を入力する欄、要求する動作モード、動作機能、動作データにチェックを入れる欄（モード選択欄、機能設定欄、データ設定欄）、サーバ装置２への送信ボタン、或いは情報メディアＭであれば書き込みボタン等（図示省略）が設けられている。
制御情報取得手段３０３は、通信手段Ｎ若しくは情報メディアＭを介してなされる制御情報要求に対するサーバ装置２の応答によって制御情報Ｃを取得する。図８の例では、制御情報Ｃには、デジタルカメラ１に固有のものとして予めサーバ装置２に登録された内部識別情報Ｂ（ＣＰＵ番号やファームウェア番号）が含まれ、また、サーバ装置２の保有する内部状態情報Ｚのうち要求に係るものが付随する。一方、図９の例では、制御情報Ｃには、デジタルカメラ１に固有のものとしてサーバ装置２に登録されている内部識別情報Ｂ（ＣＰＵ番号やファームウェア番号）が含まれ、また、デジタルカメラ１に予め内蔵されている内部状態情報Ｚのうち要求に係るものをＯＮにするための内部状態情報制御コードＣ１が付随する。
照合手段３０４は、デジタルカメラ１において制御情報Ｃに反映されている内部識別情報Ｂが、当該デジタルカメラ１に当初から書き込まれている内部識別情報ｂ（ＣＰＵ番号やファームウェア番号）と合致するか否かを、これらをＣＰＵ３０ａに取り込んで比較することによって照合する。
状態制御手段３０５は、照合が偽である場合に内部状態情報Ｚの制御を行なわず、照合が真である場合に内部状態情報Ｚの制御を行なう。すなわち、照合が真である場合のみ、前述した制御情報Ｃに基づいて、そのユーザーの要求した内部状態情報Ｚを利用可能にするための制御を行なう。具体的には、内部状態情報Ｚである歯科撮影用プログラムＰ３を特定の機能が利用できるようにその禁止状態を解除するか若しくは新たにロードし、非歯科用プログラムＰ１を使用禁止状態にする（図３参照）。
一方、サーバ装置２を、図７に示すように、ＣＰＵ２０ａ、内部・外部記憶装置２０ｂ、入出力インターフェース２０ｄ、通信インターフェース２０ｅを備えた通常のワークステーション２０により構成する。そして、内部・外部記憶装置２０ｂにカメラ管理用プログラム２００ｂを内蔵し、ＣＰＵ２０ａにこのカメラ制御用プログラム２００ｂを読み込ませ、逐次実行させることによって、図８に示す識別情報データベース２１、内部状態情報記憶手段２２、要求受付手段２３、照会手段２４、応答手段２５を構築する。
識別情報データベース２１は、サーバ装置２においてデジタルカメラ１に固有の内部識別情報Ｂ（ＣＰＵ番号、ファームウェア番号など）を前述した機器識別情報Ａ（製造番号等）と関連づけて予め登録しておく。デジタルカメラ１の製造番号等の機器識別情報ＡとＣＰＵ番号（或いはファームウェア番号）などの内部識別情報Ｂとは１対１で対応しており、予めデジタルカメラ１の製造元等からそのデータを入手してこれらをレコード構造にしてデータベース化しておく。
内部状態情報記憶手段２２は、要求に応じてユーザーに歯科用のデータを提供すべく、動作モード情報（歯科用動作モードＭ２、非歯科用動作モードＭ１を構築するための非歯科用プログラムＰ１、基本プログラムＰ２、歯科用プログラムＰ３等）、動作関連情報（動作機能Ｍ１０、Ｍ２０、動作データＤ１０、Ｄ２０等）などの内部状態情報Ｚを記憶保持している。図９の例では、サーバ装置２側に内部状態情報はなく、デジタルカメラ１側に予め使用が禁止された状態で当該内部状態Ｚが内部状態情報記憶手段１０１に格納されている。
要求受付手段２３は、端末装置３から機器識別情報ａを伴った制御情報要求信号を受け付ける。この要求に際して、この実施形態ではどの内部状態情報Ｚに関する制御情報を要求するかを端末装置３で具体的に選ぶことができる。これは図１０等に基づいて説明した通りである。
照会手段２４は前記識別情報データベース２１に前記機器識別情報ａと一致する機器識別情報Ａが登録してあるか否かを照会する。つまり、要求に係る機器識別情報ａと、登録に係る機器識別情報Ａとの一致・不一致をみる。そして、照会結果を後述する応答手段２５へ出力する。
応答手段２５は、前記照会手段２３による出力が真を表すものである場合（つまり登録がある場合）に、その機器識別情報Ａ（＝ａ）に対応して予め登録してある内部識別情報Ｂを前記識別情報データベース２１から取り出し、通信手段Ｎ又は情報メディアＭを介して端末装置３に（又は端末装置３を介してデジタルカメラ１に）当該内部識別情報Ｂを伴って制御情報Ｃを送付する応答をなす。この制御情報Ｃには、図８の構成においては内部状態情報Ｚが付随し、図９の構成においては内部状態情報制御コードＣ１が付随する。内部状態情報Ｚがロードされることによって機能できる状態となり、コードＣ１は、当該デジタルカメラ１の内部に内蔵されている全機能の中からそのユーザーの選択した機能のみを有効にする切替制御のためのものである。
図１１は以上を通信によって実現する場合の手順を例示したフローチャートである。先ず、端末装置３側において、制御情報要求の入力待ちをし、入力があると制御情報要求をサーバ装置２に送信する（制御情報要求ステップＳ１）。サーバ装置２は、この制御情報要求信号を受信すると、要求に係る機器識別情報ａが識別情報データベース２１に登録されている機器識別情報Ａの何れかと一致するか否かを照合する（照合ステップＳ２）。一致するものが登録されている場合、サーバ装置２は前記識別情報データベース２１から、少なくとも当該機器識別情報Ａに対応した内部識別情報Ｂを取り出し、通信手段Ｎ又は情報メディアＭを介して制御情報Ｃを送付する応答をなす（応答ステップＳ３）。この応答信号は、図８の構成では内部状態情報Ｚを伴い、図９の構成では内部状態情報制御コードＣ１を伴う。次に、応答待ちをしていた端末装置３が応答信号を受け、制御情報Ｃを取得すると、その制御情報Ｃに反映されている内部識別情報Ｂに対応した情報が、器械装置１に書き込まれている内部識別情報Ｂと合致するか否かを照合する（照合ステップＳ４）。そして、照合が真である場合に、制御情報Ｃに基づいて内部状態情報Ｚ（動作モード情報、モード関連情報（動作機能、動作データ）など）をロードするか、或いはその機能を有効にする切替制御を行なう（状態制御ステップＳ５）。図７の構成の場合、照合ステップＳ４で真の結果を得た後にサーバ装置２から端末装置３に内部状態情報Ｚを送るようにしてもよい。
＜変形例＞
図１２及び図１３に本実施形態に係る制御システムの別異の構成を示す。この構成の場合、前記要求受付手段２３において照合結果を出力するまでの過程は図８、図９のものと略同様である。図１２の構成において、照会手段２４による出力が真を表すものである場合（つまり要求に係る機器識別情報ａと識別情報データベースの中の機器識別情報Ａの一とが一致する場合）、その機器識別情報Ａに関連づけて登録されている内部識別情報Ｂを前記識別情報データベース２１から取り出す。そしてサーバ装置２は、通信手段Ｎにより端末装置３を介してデジタルカメラ１に当初から書き込まれている内部識別情報ｂを直接又は端末装置３を介して読み出す。この内部識別情報ｂは、最初の制御情報要求手段３０２による要求時に同時に送ってもよい。次に、前記識別情報データベース２１から取り出した内部識別情報Ｂと、デジタルカメラ１から取り出した内部識別情報ｂとが合致するか否かを、サーバ装置２のＣＰＵ２０ａにおいて比較することによって照合手段２３４が照合する。その後、応答手段２５’が、前記照合手段２３４による照合が真である場合にのみ、内部状態情報記憶手段２２から内部状態情報Ｚを取り出して制御情報Ｃとともに端末装置３に送付するか、或いは、デジタルカメラ１側に内部状態情報Ｚが予め備わる場合には内部状態情報制御コードＣ１を制御情報Ｃとともに送付する。その後の構成は図８、図９のものと同様であり、図１３はこの変形例の場合の手順を示すフローチャートである。
＜実施形態の作用効果＞
以上のように、この実施形態は、製造番号が存在するのが通例である。この様な機器識別情報に１対１に対応して、器械装置に電子的に読み取り可能な方法で内部識別情報を設定または記憶させることは容易に可能である。このため、本発明のようなシステムを構築すると、器械装置に対して前述の様なカスタマイズサービスが可動である条件として、次の３条件を課すことが可能となる。
▲１▼  正規のユーザー（器械装置を確かに購入したと器械装置供給業者が認定することを条件に器械装置供給業者側が管理運営する情報処理装置のデータベースにその器械装置の機器識別情報と内部識別情報を関連付けて登録したユーザー）であること。
▲２▼  カスタマイズの申込を行い、代価の入金が行われたユーザーであること。（この情報も機器識別情報としてデータベースに登録される。）
▲３▼  さらに、正規のユーザーにＩＤとパスワードを発行することで、例えば通信もしくはメディアを介して器械装置のカスタマイズを行う場合にＩＤとパスワードの提示要求に対して、双方を正確に提示入力したユーザーであること。
従って、他のデジタルカメラ１を使用するユーザーが、サーバ装置２に対して機器識別情報ａを送っても、サーバ装置２側でその機器識別情報ａに対応する機器機器識別Ａが登録されていなければ照会手段２３で拒絶され、たとえ成りすましによって該当する機器識別情報Ａが登録してあったとしても、対応する内部識別情報Ｂがデジタルカメラ１側の内部識別情報ｂとは異なっているため、照合手段３０４（図８、図９）、２３４（図１２）において不一致（偽）が発覚し、制御情報Ｃに基づく内部状態情報の制御、すなわちＰ１からＰ２への切り替え（図３参照）は開始されないことになる。このため、不正冒用行為を的確に回避して、システムの適正な運用を図ることが可能となる。
このようなシステムは、サーバ装置２が内部状態情報Ｚを記憶した内部状態情報記憶手段２２を備えている態様（図８、図１２参照）と、デジタルカメラ１が内部状態情報Ｚを記憶した内部状態情報記憶手段１０１を備えている態様（図９）の何れによっても実施可能である。前者の場合は、応答手段２４が制御情報Ｃとともに内部状態情報Ｚを伴った応答をなして、器械装置１において照合が真である場合に状態制御手段３０５が前記制御情報Ｃに基づいて内部状態情報Ｚをロードする制御を行ない、後者の場合は、デジタルカメラ１の中で禁止されている内部状態情報Ｚのその禁止状態が制御情報Ｃに付帯する内部状態情報制御コードＣ１によって解除されることとなる。
この実施形態では、内部状態情報Ｚが複数の動作モード情報Ｍ２、モード関連情報（動作機能情報Ｍ２０、動作データ情報Ｄ２０）からなるものであるため、制御情報Ｃによってこれらを切替選択する組み合わせ、或いは新たにロードして追加する組み合わせには種々あり、要求に応じて多様なサービスを行なうことが容易に可能となる。
特に、本実施形態の場合は、汎用のデジタルカメラ１を歯科用のデジタルカメラとして使用しようとするものであり、汎用のデジタルカメラ１に備わる色再現性を無視した色補正機能やフラッシュ機能に代替して歯科用に適した色補正機能、フラッシュ機能を容易且つ安価に取り込み、適正な撮影ができるようになるので、歯科業界における治療や診断等に飛躍的な利便性をもたらすことが可能となる。
特に、具体的構成として、器械装置１からの制御情報要求を許可するためのＩＤ入力受付手段やパスワード入力受付手段等を併用しているため、ファームウェア等としての内部状態情報Ｚを利用することとも相まって、不正冒用行為に対する抑止効果は格段に優れたものとなる。
なお、本発明は、上述した実施形態に限定されるものではない。例えば、本発明は、器械装置１として歯科用顎運動計測装置、歯科用顎運動シミュレータ、ＣＡＤ・ＣＡＭ用計測装置、ＣＡＤ・ＣＡＭ装置、歯科用ＣＡＤ・ＣＡＭ用計測装置、歯科用ＣＡＤ・ＣＡＭ装置、歯科用光照射重合器、測色計または色彩計、歯科用測色計または歯科用色彩計、歯科用鋳造機、歯科用レーザー装置、歯科用焼成機、物品保管ラック、歯科用物品保管ラック、咬合器などを適用対象とすることもできる。
以下、その幾つかについてシステム概要を略述する。
＜顎運動計測装置＞
図１４及び図１６は、器械装置として顎運動計測装置１Ａを適用した本発明に係る実施形態のシステムの模式図である。器械装置である歯科用用途に用いられる顎運動計測装置１Ａに対し、動作モード情報Ｍ２Ａとして医院用動作モードＭ２１Ａ（咬合チェック用）、顎機能診断用動作モードＭ２２Ａ、補綴用動作モードＭ２３Ａ、矯正用動作モードＭ２４Ａ、などを与え、歯科用用途に対応した動作機能Ｍ２０Ａとして３自由度機能Ｍ２０１Ａ、６自由度機能Ｍ２０２Ａ、６×２自由度機能Ｍ２０３Ａ、６×３自由度機能Ｍ２０４Ａ、生体標点定義機能Ｍ２０５Ａなどの関連機能および上記実施形態と同様の課金データ生成機能Ｍ２０６Ａなどを与え、歯科用用途に対応した動作データＤ２０Ａとして基準面データ（カンペル平面データＤ２１Ａ、フランクフルト平面データＤ２２Ａ、咬合面データＤ２３Ａなどの関連データ）や課金データＤ２４Ａを要求に応じて与えることができるようにしておく。
このようにすれば、医院が顎運動計測装置１Ａを有効に機能させて咬合チェック、矯正、顎機能診断、補綴物の作成を簡単・的確に行えるビジネスモデルを容易に構築することができる。
＜測色計＞
図１５及び図１６は、器械装置として測色計１Ｂを適用した本発明に係る実施形態のシステムの模式図である。器械装置である歯科用用途に用いられる測色計１Ｂに対し、動作モード情報Ｍ２Ｂとして天然歯モードＭ２１Ｂ、ＭＣクラウンモードＭ２２Ｂ、人口歯モードＭ２３Ｂ、歯茎モードＭ２４Ｂ、計測器モードＭ２４Ｂを与え、動作機能Ｍ２０Ｂとして強制光測色機能Ｍ２０１Ｂ、自然光測色機能Ｍ２０２Ｂ、パソコン転送機能Ｍ２０３Ｂ、ソフト通信機能Ｍ２０４Ｂおよび上記実施形態と同様の課金データ生成機能Ｍ２０５Ｂを与え、動作データとＤ２０ＢしてＳＶＨ表色データＤ２１Ｂ、シェードガイド表色データＤ２２Ｂ、課金データＤ２３Ｂや各種シェードガイドデータなどを要求に応じて与えることができるようにしておく。
このようにすれば、測色計、デジタルカメラ或いは歯科用画像管理ソフトウェアより出力した患者の歯の色情報を使用者側から発信する患者データとし、供給者側のＣＡＤ・ＣＡＭ装置または歯科用ＣＡＤ・ＣＡＭ装置における補綴物またはその一部を患者データの歯の色に調合して作成し、残りの部分の材料も色に合わせて配合または計量して送付するシステムモデルを容易に構築することができる。
＜物品保管ラック＞
器械装置である歯科用用途に用いられるに物品保管ラックに対し、動作モード情報として保管されている物品モードを与え、動作機能として重量測定機能や数量計測機能、物品が電池やバッテリであれば電力測定機能などを与え、動作データとして各物品に対する、供給が必要となる残量等を与える。保管されている消耗品の数量または残量に関する情報を、使用者によるか又は定期的に使用者側から発信するデータとし、供給者側が消耗品の残量や、消耗品の残量の経持的な変化を把握できるようにしておく。このようにすれば各消耗品の供給時期や供給量を正確に把握又は予測することができ、そうすることにより消耗品の供給を正確に行えるビジネスモデルを容易に構築することができる。
【００１１】
【発明の効果】
以上に示した構成・特性・動作により、本発明は器械装置の動作モード情報、動作機能、動作データなどの内部状態を適正な要求者にのみ不正なくカスタマイズすることを可能とする器械装置の制御システムおよび制御方法を提供する事が可能となる。器械装置を使用するユーザーが、当該器械装置を管理する情報処理装置に対して偽った機器識別情報を送っても、情報処理装置側でその機器識別情報が登録してなければ照合ステップで拒絶される。たとえ機器識別情報が登録されており、対応する内部識別情報が存在しても、それが冒用であれば照合ステップにより、実際の器械装置の内部識別と内部識別情報とが不一致（偽）となる。よって、制御情報に基づいて内部状態情報の制御を行なう状態制御ステップが実行されなることはない。このため、本発明に係る器械装置の制御方法は、不正冒用行為を効果的に回避することが可能となる。
【図面の簡単な説明】
【図１】本発明の一実施形態に係る器械装置の制御システムの構成図。
【図２】同実施形態に係る器械装置たるデジタルカメラのハード構成を示す図。
【図３】同実施形態において取り扱うプログラム相互の関係を示す概念図。
【図４】同実施形態における非歯科用動作モードの概念図。
【図５】同実施形態における歯科用動作モードの概念図。
【図６】同実施形態に係る端末装置のハード構成を示す図。
【図７】同実施形態に係るサーバ装置のハード構成を示す図。
【図８】同実施形態の制御システムを示す機能構成図。
【図９】同実施形態の制御システムを示す他の機能構成図。
【図１０】同実施形態に係る制御情報要求手段の概念図。
【図１１】同実施形態に係る制御システムの作用を示すフローチャート。
【図１２】同発明の他の実施形態に係る制御システムの機能構成図。
【図１３】同実施形態に係る制御システムの作用を示すフローチャート。
【図１４】同実施形態に係る制御システムの作用を示すフローチャート。
【図１５】本発明の上記以外の実施形態に係る制御システムの構成図。
【図１６】本発明の上記以外の実施形態に係る動作モードの概念図。
【符号の説明】
１  …器械装置
１０１…内部状態情報記憶手段
１０２…内部識別情報
２  …情報処理装置
２１…識別情報データベース
２２、１０１…内部状態情報記憶手段
２４…照会手段
２５…応答手段
３  …端末装置
３０２…制御情報要求手段
３０４、２３４…照合手段
３０５、３０５Ａ…状態制御手段
Ｃ…制御情報
Ｎ  …インターネット
Ｍ  …情報メディア
Ｍ１…非歯科用動作モード情報
Ｍ２、Ｍ２Ａ、Ｍ２Ｂ…動作モード情報
Ｓ１…制御情報要求ステップ
Ｓ２…照会ステップ
Ｓ３…応答ステップ
Ｓ４…照合ステップ
Ｓ５…状態制御ステップ
【図１】
2005011297.tif 000003
【図２】
2005011297.tif 000004
【図３】
2005011297.tif 000005
【図４】
2005011297.tif 000006
【図５】
2005011297.tif 000007
【図６】
2005011297.tif 000008
【図７】
2005011297.tif 000009
【図８】
2005011297.tif 000010
【図９】
2005011297.tif 000011
【図１０】
2005011297.tif 000012
【図１１】
2005011297.tif 000013
【図１２】
2005011297.tif 000014
【図１３】
2005011297.tif 000015
【図１４】
2005011297.tif 000016
【図１５】
2005011297.tif 000017
【図１６】
2005011297.tif 000018